(57)【特許請求の範囲】
【請求項１】
光学構造が形成された面である光学機能面と、前記光学機能面とは反対側に位置する面である被貼付面とを有する光学部品と、
前記光学構造の全体を覆う第１保護フィルムと、
前記被貼付面の少なくとも一部が貼り付けられた面であって、少なくとも１つの方向において前記光学部品を挟む位置に前記第１保護フィルムが貼り付けられた面である貼付面を有する第２保護フィルムと、を備え、
前記第１保護フィルムと前記第２保護フィルムとに挟まれ、かつ、前記第１保護フィルムと前記光学機能面との間の隙間を形成するスペーサを有し、
前記第１保護フィルム、および、前記第２保護フィルムの少なくとも一方は、透明フィルムであり、
前記スペーサは、光学部品包装体の取り扱いに関する指標を有し、
前記指標は、前記スペーサの表面のなかで前記透明フィルムと対向する部位に配置されている
光学部品包装体。
【請求項２】
前記光学機能面と前記第１保護フィルムとの間に隙間が形成されている
請求項１に記載の光学部品包装体。
【請求項３】
２つの前記スペーサを備え、
２つの前記スペーサは、少なくとも１つの方向において前記光学部品を挟むように配置されている
請求項１または２に記載の光学部品包装体。
【請求項４】
前記指標は、前記光学部品の型番、および、前記光学部品の製造ロットの少なくとも一方を示す印刷物である
請求項１から３のいずれか一項に記載の光学部品包装体。
【発明の詳細な説明】
【技術分野】
【０００１】
本発明は、光学機能面を有した光学部品と、光学機能面を保護する保護フィルムとを備える光学部品包装体に関する。
【背景技術】
【０００２】
上述した光学部品包装体の備える光学部品において、微細凹凸構造が形成された凹凸部と、微細凹凸構造が形成されていない非凹凸部とは、微細凹凸構造と対向する方向から見て、１つの光学機能面に位置している。光学部品包装体の備える保護フィルムは、微細凹凸構造を覆い、かつ、非凹凸部に貼り付けられている（例えば、特許文献１から３参照）。非凹凸部に貼り付けられる保護フィルムは、光学部品包装体の搬送時や保管時には剥がれない一方で、光学部品の利用時には容易に剥がれることが求められる。そのため、上述した光学部品包装体においては、凹凸部に対する保護フィルムの密着強度を、非凹凸部に対する保護フィルムの密着強度よりも小さく設定する技術が提案されている。
【先行技術文献】
【特許文献】
【０００３】
【特許文献１】特開２０１０−１０７８５８号公報
【特許文献２】特開２０１０−１２０３４８号公報
【特許文献３】特開２０１３−１３０８９５号公報
【発明の概要】
【発明が解決しようとする課題】
【０００４】
しかしながら、光学部品の有する１つの面においては、凹凸部と非凹凸部とが隣り合うため、非凹凸部から保護フィルムが剥がされる際に、保護フィルムを把持する利用者の指などが凹凸に触れ、凹凸部の有する光学機能を低下させる場合がある。それゆえに、上述した光学部品包装体においては、光学機能面を保護するための保護フィルムの取り外しに際して光学機能面の保護性を高めることが望まれている。
【０００５】
本発明は、光学機能面を保護するための保護フィルムの取り外しに際して光学機能面の保護性を高めることを可能にした光学部品包装体を提供することを目的とする。
【課題を解決するための手段】
【０００６】
上記課題を解決するために、光学部品包装体は、光学構造が形成された面である光学機能面と、前記光学機能面とは反対側に位置する面である被貼付面とを有する光学部品と、前記光学構造の全体を覆う第１保護フィルムと、前記被貼付面の少なくとも一部が貼り付けられた面であって、少なくとも１つの方向において前記光学部品を挟む位置に前記第１保護フィルムが貼り付けられた面である貼付面を有する第２保護フィルムと、を備える。
【０００７】
上記光学部品包装体は、前記光学機能面と前記第１保護フィルムとの間に隙間が形成されていてもよい。
上記光学部品包装体は、前記第１保護フィルムと前記第２保護フィルムとに挟まれ、かつ、前記第１保護フィルムと前記光学機能面との間の隙間を形成するスペーサを有してもよい。
上記光学部品包装体は、２つの前記スペーサを備え、２つの前記スペーサは、少なくとも１つの方向において前記光学部品を挟むように配置されてもよい。
【０００８】
上記光学部品包装体において、前記第１保護フィルム、および、前記第２保護フィルムの少なくとも一方は、透明フィルムであり、前記スペーサは、光学部品包装体の取り扱いに関する指標を有し、前記指標は、前記スペーサの表面のなかで前記透明フィルムと対向する部位に配置されてもよい。
上記光学部品包装体において、前記指標は、前記光学部品の型番、および、前記光学部品の製造ロットの少なくとも一方を示す印刷物であってもよい。
【発明の効果】
【０００９】
本発明の光学部品包装体によれば、光学機能面を保護するための保護フィルムの取り外しに際して光学機能面の保護性を高められる。
【図面の簡単な説明】
【００１０】
【図１】図１は、光学部品包装体の第１実施形態における光学部品包装体の斜視構造を示す斜視図であって、第１保護フィルムと第２保護フィルムとを互いに離して示す光学部品包装体の分解斜視図である。
【図２】図２は、第１実施形態における光学部品包装体の断面構造を示す断面図である。
【図３】図３は、光学部品包装体の第２実施形態における光学部品包装体の斜視構造を示す斜視図であって、第１保護フィルムと第２保護フィルムとを互いに離して示す光学部品包装体の分解斜視図である。
【図４】図４は、第２実施形態における光学部品包装体の断面構造を示す断面図である。
【発明を実施するための形態】
【００１１】
（第１実施形態）
図１、および、図２を参照して第１実施形態における光学部品包装体を説明する。
図１が示すように、光学部品包装体は、光学部品１１と、第１保護フィルム２１と、第２保護フィルム３１とを備えている。光学部品１１は、光学機能面１１Ｓと、光学機能面１１Ｓとは反対側の面である被貼付面とを有している。第１保護フィルム２１は、光学機能面１１Ｓを保護する機能を有し、第２保護フィルム３１は、被貼付面を保護する機能を有している。
【００１２】
光学部品１１は、矩形の板形状を有している。光学部品１１における光学機能面１１Ｓは、図１においてドットが付された矩形の領域に、微細な凹凸構造である光学構造１２を有している。光学機能面１１Ｓのなかで光学構造１２の周囲である部分は、凹凸が形成されていない領域である平坦部である。
【００１３】
光学機能面１１Ｓにおける１つの方向である長さ方向において光学部品１１の有する一辺の長さは、部品長さ１１Ｗである。光学機能面１１Ｓと直交する方向である厚み方向において光学部品１１の有する厚みは、部品厚さ１１Ｔである。
【００１４】
第１保護フィルム２１は、光学構造１２を保護するための１つの被覆部２２と、上述した長さ方向において１つの被覆部２２を挟む２つの被接合端２３とを備えている。１つの被覆部２２は、光学機能面１１Ｓの外形と整合する矩形の形状であって、上述した長さ方向においては部品長さ１１Ｗと等しい幅を有し、光学機能面１１Ｓの全体を覆っている。２つの被接合端２３は、１つの被覆部２２における長さ方向の両端部に接続し、被覆部２２から折り曲げられた部分である。
【００１５】
１つの被覆部２２において光学機能面１１Ｓと対向する面と、２つの被接合端２３の各々において第２保護フィルム３１と対向する面との間には、光学部品１１の厚み方向に沿った段差であるフィルム段差２１Ｔが形成されている。フィルム段差２１Ｔは、上述した部品厚さ１１Ｔよりも大きい。第１保護フィルム２１におけるフィルム段差２１Ｔの保持は、第１保護フィルム２１が有する剛性、言い換えれば、第１保護フィルム２１が有する形状の保持能によって実現されている。
【００１６】
第２保護フィルム３１は、光学部品１１の被貼付面と対向する面である貼付面３１Ｓを備えている。貼付面３１Ｓのなかで光学部品１１と対向する部位には、部品粘着層３２が含まれ、部品粘着層３２を挟む２つのフィルム接着層３３がさらに含まれている。
【００１７】
１つの部品粘着層３２は、光学部品１１の被貼付面に対する粘着性と、第２保護フィルム３１の貼付面３１Ｓに対する粘着性とを有している。部品粘着層３２の光学部品１１に対する粘着性は、部品粘着層３２の第２保護フィルム３１に対する粘着性よりも低い。部品粘着層３２は、光学部品１１の被貼付面から第２保護フィルム３１の貼付面３１Ｓを剥離できる状態で、光学部品１１を貼付面３１Ｓに貼り付け、光学部品１１を貼付面３１Ｓに対して位置決めしている。
部品粘着層３２は、光学部品１１の被貼付面の少なくとも一部で貼着していればよく、光学部品１１の被貼付面の一箇所のみに形成されていてもよいし、複数箇所に形成されていてもよい。
【００１８】
２つのフィルム接着層３３は、長さ方向において部品粘着層３２を挟んでいる。長さ方向における２つのフィルム接着層３３の間の距離は、収容長さ３１Ｗである。収容長さ３１Ｗは、上述した部品長さ１１Ｗとほぼ等しく、２つのフィルム接着層３３の間に光学部品１１が配置されることを許容している。フィルム接着層３３は、第１保護フィルム２１の被接合端２３に対する粘着性と、第２保護フィルム３１の貼付面３１Ｓに対する粘着性とを有し、第１保護フィルム２１の被接合端２３を貼付面３１Ｓに貼り付けている。
【００１９】
光学部品１１は、部品粘着層３２の有する接着力によって第２保護フィルム３１の貼付面３１Ｓに位置決めされ、第１保護フィルム２１と第２保護フィルム３１との接合によって、これらの接合部分の間に挟まれている。
【００２０】
図２が示すように、被覆部２２と第２保護フィルム３１との間には、フィルム段差２１Ｔを有する隙間が形成されている。上述したように、フィルム段差２１Ｔは、光学部品１１の厚さである部品厚さ１１Ｔよりも大きい。被覆部２２において光学機能面１１Ｓと対向する面は、フィルム段差２１Ｔと部品厚さ１１Ｔとの差に相当する隙間を空けて、光学機能面１１Ｓから離れている。第１保護フィルム２１におけるフィルム段差２１Ｔの保持は、第１保護フィルム２１が有する剛性、言い換えれば、第１保護フィルム２１が有する形状の保持能によって実現されている。
【００２１】
上述した構成であれば、被接合端２３が光学部品包装体から切り取られる、あるいは、被接合端２３が被覆部２２から切り離されることによって、被覆部２２と第２保護フィルム３１との接合は解かれる。言い換えれば、被接合端２３が光学部品包装体から切り取られる、あるいは、被接合端２３が被覆部２２から切り離されることによって、利用者の指などが光学機能面１１Ｓに接触することなく、被覆部２２は第２保護フィルム３１から離される。これによって、第２保護フィルム３１に貼り付けられた状態の光学機能面１１Ｓを外部に向けて曝すことができる。それゆえに、光学機能面１１Ｓを保護するための第１保護フィルム２１の取り外しに際して光学機能面１１Ｓの保護性が高められる。
【００２２】
光学機能面１１Ｓは、光学構造１２によって光学的な機能を発現させる面である。光学構造１２が発現させる光学的な機能には、例えば、光の反射を抑える反射防止機能、光を散乱させる散乱機能、および、光を回折させる回折機能のなかの少なくとも１つが挙げられる。
【００２３】
光学構造１２は、例えば、複数の凸部、あるいは、複数の凹部が周期的に繰り返される周期構造体であってもよいし、複数の凸部、あるいは、複数の凹部が無秩序に並ぶ非周期構造体であってもよい。周期構造体は、例えば、モスアイ（登録商標）構造、あるいは、プラズモニック構造である。
【００２４】
光学構造１２が備える凸部は、例えば、円錐形状、角錐形状、線状突条、および、格子突条である。光学構造１２が備える凹部は、例えば、円錐孔、角錐孔、線状溝、および、格子状溝である。
【００２５】
反射防止機能を有する光学構造１２において凸部の平均間隔、あるいは、凹部の平均間隔は、例えば、光学部品１１の使用環境下における光の波長以下である。例えば、反射防止の対象が可視光であるとき、凸部の平均間隔、あるいは、凹部の平均間隔は、可視光の波長以下である。こうした構造を有する光学構造１２であれば、空気の屈折率から光学部品１１を構成する材料の屈折率にまで、連続的に屈折率が増えることによる有効な反射抑制の機能が発現される。光学構造１２において凸部の平均間隔は、数μｍ以下が好ましく、５５０ｎｍ以下がより好ましく、３００ｎｍ以下がさらに好ましい。
【００２６】
光学構造１２における凸部の平均間隔、光学構造１２における凹部の平均間隔、光学構造１２における凸部あるいは凹部の並びは、例えば、フーリエ変換像に基づいて定められる。フーリエ変換像は、光学機能面１１Ｓの二次元画像である原画像から二次元の高速フーリエ変換を通じて得られる。光学機能面１１Ｓの原画像は、光学機能面１１Ｓに対向する平面視から得られる画像であって、光学機能面１１Ｓの広がる二次元の座標系において段差の大きさを輝度などによって示す画像である。光学機能面１１Ｓの二次元画像である原画像は、光学機能面１１Ｓと対向する平面視において、例えば、原子間力顕微鏡による測定、走査型電子顕微鏡による測定、接触式段差計による測定などによって得られる。
【００２７】
上述した画像処理に用いられる原画像は、光学機能面１１Ｓの一部である任意に選択される矩形部分を示す。高速フーリエ変換を用いた原画像の波形分離によれば、原画像に基づくフーリエ変換像が得られ、フーリエ変換像における０次ピークと１次ピークとの間の距離が求められる。０次ピークと１次ピークとの間の距離の逆数は、一つの矩形部分において、凸部の平均間隔、あるいは、凹部の平均間隔として取り扱われる。
【００２８】
光学部品１１は、板形状を有する部品であり、光学部品１１が有する厚みは、例えば、０．５ｍｍ以上５ｍｍ以下であり、光学部品１１が有する引張り弾性率は、例えば、０．３ＧＰａ以上であり、より好ましくは、１．０ＧＰａ以上である。なお、光学部品１１が有する厚みや光学部品１１が有する引張り弾性率は、第１保護フィルム２１と第２保護フィルム３１とによって光学部品１１が挟まれることによって光学部品１１が機械的に変形しない範囲である。
【００２９】
第１保護フィルム２１が有する厚みは、例えば、１μｍ以上０．３ｍｍ以下である。第１保護フィルム２１が有する厚みや第１保護フィルム２１が有する引張り弾性率は、光学部品１１に機械的な変形を与えない範囲であり、かつ、フィルム段差２１Ｔの保持を可能にした範囲の中から適宜選択される。第２保護フィルム３１が有する厚みは、例えば、１μｍ以上０．３ｍｍ以下である。第２保護フィルム３１が有する厚みや第２保護フィルム３１が有する引張り弾性率もまた、光学部品１１に機械的な変形を与えない範囲であり、フィルム段差２１Ｔの保持を可能にした範囲の中から適宜選択される。
部品粘着層３２やフィルム接着層３３の有する厚みは、例えば、１μｍ以上５０μｍ以下である。
【００３０】
光学部品１１を形成する材料は、光学機能面１１Ｓにおいて光学的な機能を発現する材料あれば特に限定されない。散乱機能や回折機能が求められる光学部品１１においては、光透過性の高い材料が好ましく、JIS K 7361-1 で規定された全光線透過率が８５％以上の材料を用いることが好ましい。光透過性の高い材料には、ポリカーボネート系樹脂、ポリテトラフルオロエチレンやポリクロロトリフルオロエチレンなどのフッ素系樹脂、ポリエチレン系樹脂やポリプロピレン系樹脂やシクロポリオレフィン系樹脂を含むポリオレフィン系樹脂、ポリ塩化ビニル系樹脂、ポリエチレンテレフタレート系樹脂やポリエチレンテレフタレート系樹脂を含むポリエステル系樹脂、ポリビニルアルコール系樹脂、アクリル系樹脂、スチレン−アクリル共重合体、スチレン−アクリロニトリル共重合体、ウレタン系樹脂、エポキシ系樹脂、ポリエーテルスルホン系樹脂、ポリスルフォン系樹脂などの樹脂、ガラスなどが挙げられる。
【００３１】
第１保護フィルム２１を形成する材料は、光学機能面１１Ｓを保護する機能を発現する材料であれば特に限定されない。第２保護フィルム３１を形成する材料は、被貼付面を保護する機能を発現する材料であれば特に限定されない。第１保護フィルム２１や第２保護フィルム３１を形成する材料には、例えば、ポリエチレン系樹脂やポリプロピレン系樹脂やシクロポリオレフィン系樹脂を含むポリオレフィン系樹脂、ポリエチレンテレフタレート系樹脂やポリエチレンナフタレート系樹脂を含むポリエステル系樹脂、ポリカーボネート系樹脂、ポリビニルアルコール系樹脂、ポリ塩化ビニル系樹脂、ナイロン系樹脂、ポリスチレン系樹脂、ポリアセチルアセテート系樹脂など挙げられる。なお、第１保護フィルム２１には、シリカなどの公知のアンチブロッキング剤、酸化防止剤、可塑剤、潤剤、帯電防止剤が配合されてもよい。
【００３２】
部品粘着層３２を形成する粘着剤や、フィルム接着層３３を形成する接着剤には、例えば、エチレン酢酸ビニル共重合体系樹脂、ポリエステル系樹脂、アセテート系樹脂、ポリエーテルサルホン系樹脂、ポリカーボネート系樹脂、ポリアミド系樹脂、ポリイミド系樹脂、ポリオレフィン系樹脂、アクリル系樹脂が挙げられる。なお、部品粘着層３２には、光学部品１１と第２保護フィルム３１とを接着する機能を有する範囲において、粘着剤以外の任意成分が含まれていてもよい。フィルム接着層３３においてもまた、第１保護フィルム２１と第２保護フィルム３１とを接着する機能を有する範囲において、接着剤以外の任意成分が含まれていてもよい。
【００３３】
以上、上記第１実施形態によれば以下に列記する効果が得られる。
（１）被接合端２３が光学部品包装体から切り取られる、あるいは、被接合端２３が被覆部２２から切り離されることによって、利用者の指などが光学機能面１１Ｓに接触することなく、被覆部２２は第２保護フィルム３１から離される。それゆえに、光学機能面１１Ｓを保護するための第１保護フィルム２１の取り外しに際して光学機能面１１Ｓの保護性が高まる。
【００３４】
（２）光学機能面１１Ｓと第１保護フィルム２１との間に隙間が形成されているため、第１保護フィルム２１が光学機能面１１Ｓに擦れること、ひいては、光学機能面１１Ｓが有する光学的な機能を低下させることが抑えられる。
【００３５】
（第２実施形態）
図３、および、図４を参照して第２実施形態における光学部品包装体を説明する。
なお、第２実施形態における光学部品包装体は、スペーサを備えるという点において第１実施形態の光学部品包装体とは異なる。以下では、スペーサについて詳細に説明し、第１実施形態の光学部品包装体が有する構成と同様の構成に関しては説明を省略する。
【００３６】
図３が示すように、第２保護フィルム３１は、光学部品１１の被貼付面と対向する面である貼付面３１Ｓを備えている。貼付面３１Ｓのなかで光学部品１１と対向する部位には、部品粘着層３２が含まれ、部品粘着層３２を挟む２つのスペーサ３４と、２つのスペーサ３４を挟む２つのフィルム接着層３３とがさらに含まれている。
【００３７】
第１保護フィルム２１は、透明性を有した透明フィルムである。第１保護フィルム２１において１つの被覆部２２は、光学機能面１１Ｓの外形よりも大きい矩形の形状であって、上述した長さ方向においては部品長さ１１Ｗよりも大きい幅を有している。２つの被接合端２３は、１つの被覆部２２における長さ方向の両端部に接続し、被覆部２２から折り曲げられた部分である。
【００３８】
２つのスペーサ３４は、長さ方向と直交する方向に沿って延びる柱形状を有している。２つのスペーサ３４は、長さ方向において部品粘着層３２を挟むとともに、第１保護フィルム２１の貼付面３１Ｓに粘着剤などを介して固定されている。長さ方向における２つのスペーサ３４の間の距離は、挟持長さ３４Ｗである。挟持長さ３４Ｗは、上述した部品長さ１１Ｗとほぼ等しく、２つのスペーサ３４の間に光学部品１１が配置されることを許容している。２つのスペーサ３４の各々が有する厚みは、スペーサ厚さ３４Ｔであり、スペーサ厚さ３４Ｔは、上述した部品厚さ１１Ｔよりも大きい。
【００３９】
２つのスペーサ３４の各々が有する面のなかで被覆部２２と対向する面には、光学部品包装体の取り扱いに関する指標が付されている。光学部品包装体の取り扱いに関する指標は、例えば、印刷物や刻削物であって、光学部品１１の取り扱い時に用いられる指標３４Ａを含む。光学部品１１の取り扱い時に用いられる指標３４Ａは、例えば、光学部品１１のなかで光の入射位置として推奨される部位などを示す矢印である。光学部品包装体の取り扱いに関する指標は、光学部品１１の取り扱い時に用いられる指標３４Ａの他、光学部品包装体の搬送時や保管時に用いられる指標３４Ｂを含む。光学部品包装体の搬送時や保管時に用いられる指標３４Ｂは、例えば、光学部品１１の型番、および、光学部品の製造ロットの少なくとも一方を示す数字や文字である。２つのスペーサ３４の各々に付された指標は、第１保護フィルム２１を通じ、光学部品包装体に対する外部から視認される。
【００４０】
２つのフィルム接着層３３は、長さ方向において２つのスペーサ３４を挟んでいる。長さ方向における２つのフィルム接着層３３の間の距離は、部品長さ１１Ｗよりも大きく、かつ、長さ方向における２つの被接合端２３の間の距離とほぼ等しい。２つのフィルム接着層３３は、別々の被接合端２３に貼り付けられ、これによって、第１保護フィルム２１と第２保護フィルム３１との間に、２つのスペーサ３４と１つの光学部品１１とが挟まれている。
【００４１】
図３が示すように、被覆部２２は、２つのスペーサ３４に支持され、被覆部２２と第２保護フィルム３１との間には、フィルム段差２１Ｔを有する隙間が形成されている。フィルム段差２１Ｔは、光学部品１１の厚さである部品厚さ１１Ｔよりも大きく、スペーサ３４による被覆部２２の支持によってスペーサ厚さ３４Ｔに保たれている。被覆部２２において光学機能面１１Ｓと対向する面は、スペーサ厚さ３４Ｔと部品厚さ１１Ｔとの差に相当する隙間を空けて、光学機能面１１Ｓから離れている。第１保護フィルム２１におけるフィルム段差２１Ｔの保持は、スペーサ３４による被覆部２２の支持に加え、第１保護フィルム２１が有する剛性、言い換えれば、第１保護フィルム２１が有する形状の保持能によって実現されてもよい。
【００４２】
スペーサ３４は、光学部品１１の一辺の全体にわたる長さを有した一つの構造体に限らず、例えば、光学部品１１の一辺に沿って並ぶ複数の構造体から構成されてもよい。スペーサ３４を構成する構造体の形状には、例えば、直方体形状、錘台形状、半球状体形状が用いられる。
【００４３】
スペーサ３４は、例えば、ポリウレタン系樹脂やポリオレフィン系樹脂などから形成される多孔質構造体、ウレタンゴム、天然ゴム、シリコンゴム、フッ素ゴムなどから形成されるゴム製構造体、ポリオレフィン系樹脂、アクリル系樹脂、ポリカーボネート系樹脂などから形成されるプラスチック製構造体、紙、合成紙、不織布である。
【００４４】
以上、上記第２実施形態によれば上記（１）（２）に加え、以下に列記する効果が得られる。
（３）被覆部２２と第２保護フィルム３１との間に形成される隙間の大きさがスペーサ３４によって定められる。そのため、被覆部２２と第２保護フィルム３１との間の隙間の大きさや被覆部２２と光学機能面１１Ｓとの間の隙間の大きさの再現性が、光学部品包装体間において高まる。
【００４５】
（４）光学部品１１を挟むように２つのスペーサ３４が配置されるため、第１保護フィルム２１や第２保護フィルム３１に対する光学部品１１の位置のずれが抑えられる。
【００４６】
（５）被覆部２２が第２保護フィルム３１から外される前に、被覆部２２を通じて、光学部品包装体の取り扱いに関する指標３４Ａ，３４Ｂが視認される。それゆえに、光学部品包装体に対する誤った取り扱いは、被覆部２２が第２保護フィルム３１から外される前に抑えられる。
【００４７】
（６）被覆部２２が第２保護フィルム３１から外される前に、光学部品１１の型番、および、光学部品１１の製造ロットの少なくとも一方が、これらを読み取る機器や利用者によって把握される。
【００４８】
なお、上記各実施形態は以下のように変更して実施することができる。
［光学部品１１］
・光学部品１１における被貼付面の少なくとも一部は、平坦面に限らず、段差を有する凹凸面や曲面であってもよい。例えば、光学部品１１における被貼付面は、光学構造１２と比べて十分に大きい間隔を有した凹凸の繰り返しが形成されている。被貼付面における凹凸の繰り返しには、別途光学的な機能が付与されてもよいし、光学部品１１の製造過程における制約から形成されてもよいし、部品粘着層３２との粘着性をアンカー効果によって高める機能が付与されてもよい。
【００４９】
・光学部品１１は、矩形の板形状に限らず、円形の板形状、円盤形状、回転楕円体形状のような回転体形状であってもよい。また、光学部品１１は、光学機能面１１Ｓを有するフィルムと、そのフィルムを支持する基板とから構成される積層体であってもよい。要は、光学部品１１は、光学構造が形成された光学機能面と、光学機能面とは反対側に位置する被貼付面とを備える構造体であればよい。
・光学部品１１の有する光学機能面１１Ｓは、平面形状に限らず、例えば、曲面形状であってもよいし、平面形状と曲面形状との組み合わせであってもよい。
【００５０】
・光学機能面１１Ｓは、光学構造１２を有していればよく、光学構造１２が光学機能面１１Ｓの縁の一部にまで広がっていてもよいし、光学構造１２が光学機能面１１Ｓの全体に広がっていてもよい。すなわち、平坦部の少なくとも一部が光学機能面１１Ｓから割愛されてもよい。
【００５１】
・光学機能面１１Ｓにおいて、光学構造１２を構成する凸部の先端は、平坦部よりも光学部品１１の外側に向けて突き出てもよいし、光学構造１２を構成する凸部における先端の少なくとも一部が、平坦部よりも窪んでいてもよい。また、光学構造１２を構成する全ての凸部の先端が、平坦部よりも窪んでいてもよい。
【００５２】
・被貼付面は、光学構造１２とは異なる凹凸構造を有し、この凹凸構造によって光学的な機能を発現させる面であってもよい。この際に、被貼付面の有する凹凸構造において凸部の形成される平均間隔や凹部の形成される平均間隔は、光学機能面１１Ｓよりも十分に大きいことが好ましい。このように両面に凹凸構造を有する光学部品１１においても、保護されるべき要請の高い面である光学機能面１１Ｓは少なからず保護される。
【００５３】
［第１保護フィルム２１］
・１つの被覆部２２と、２つの被接合端２３とが形成するフィルム段差２１Ｔは、部品厚さ１１Ｔよりも小さくてもよく、例えば、被覆部２２において光学機能面１１Ｓと対向する面と、被接合端２３において第２保護フィルム３１と対向する面とは、面一であってもよい。この際に、第２保護フィルム３１の貼付面３１Ｓは、１つの被覆部２２と第２保護フィルム３１との間に部品厚さ１１Ｔ以上の隙間が形成されるように構成された段差面であればよい。例えば、第２保護フィルム３１の貼付面３１Ｓは、部品厚さ１１Ｔとほぼ等しい深さを有した窪みを、光学部品１１の収容される窪みとして有した段差面であり、貼付面３１Ｓにおいて窪みを囲う縁部と、被接合端２３とが互いに接合される。
【００５４】
・被覆部２２は、光学機能面１１Ｓからはみ出す形状や、光学機能面１１Ｓの外形よりも小さい外形を有する形状のように、光学機能面１１Ｓとは異なる形状を有してもよく、少なくとも光学構造１２を覆う形状を有していればよい。
【００５５】
・被接合端２３は、光学構造１２における周方向の全体にわたって光学構造１２を覆い、かつ、光学構造１２における周方向の全体にわたって第２保護フィルム３１に接合されてもよい。すなわち、上述した長さ方向は、相互に異なる２つ以上の方向であってもよく、被接合端２３は、少なくとも１つの方向において光学部品１１を挟み、かつ、第２保護フィルム３１に接合される構成であればよい。
【００５６】
なお、光学構造１２における周方向の全体にわたって第１保護フィルム２１と第２保護フィルムとが接合される構成であれば、光学構造１２が外部からの異物によって汚染されることがさらに抑えられる。なお、被接合端２３が１つの方向でのみ光学部品１１を挟む構成であれば、光学部品包装体の製造に要する手間が軽減される。
【００５７】
・第１保護フィルム２１は、光を透過する光透過性を有していてもよいし、光を遮光する遮光性を有していてもよい。また、第１保護フィルム２１は、水分などを透過するガス透過性を有していてもよいし、水分などを遮断するガスバリア性を有していてもよい。これら第１保護フィルム２１が備える保護機能以外の機能は、光学部品１１に適した範囲の中から適宜選択されるものである。
【００５８】
［第２保護フィルム３１］
・第１保護フィルム２１における被接合端２３と第２保護フィルム３１とは、フィルム接着層３３を介した接着に限らず、被接合端２３と第２保護フィルム３１との溶着によって接合されてもよい。そして、第１保護フィルム２１と第２保護フィルム３１とが、光学部品１１の周方向の全体にわたって溶着される構成においては、第１保護フィルム２１におけるフィルム段差２１Ｔの保持が、第１保護フィルム２１と第２保護フィルム３１との間に封入された空気等の気体による第１保護フィルム２１に対する圧力によって実現されてもよい。
【００５９】
・第２実施形態においては、第２保護フィルム３１が透明フィルムであってもよく、また、第１保護フィルム２１と第２保護フィルム３１との両方が透明フィルムであってもよい。なお、第２保護フィルム３１が透明フィルムである構成においては、スペーサの有する面のなかで第２保護フィルム３１と対向する面に、光学部品包装体の取り扱いに関する指標を有することが好ましい。
【００６０】
・第２保護フィルム３１は、光を透過する光透過性を有していてもよいし、光を遮光する遮光性を有していてもよい。また、第２保護フィルム３１は、水分などを透過するガス透過性を有していてもよいし、水分などを遮断するガスバリア性を有していてもよい。これら第２保護フィルム３１が備える保護機能以外の機能は、光学部品１１に適した範囲の中から適宜選択されるものである。
【００６１】
［スペーサ３４］
・スペーサ３４から指標３４Ａ，３４Ｂが割愛されてもよい。この際に、例えば、スペーサ３４の有する形状は、自身が指標として機能する形状であってもよい。
【００６２】
・スペーサ３４の配置される位置は、例えば、光学部品１１の周囲における一箇所であってもよいし、三箇所以上であってもよいし、光学部品１１の周囲の全体であってもよい。
【００６３】
・スペーサ３４の有するスペーサ厚さ３４Ｔは、部品厚さ１１Ｔ以下であってもよく、こうした構成であっても、第２保護フィルム３１に対する光学部品１１の位置のずれを抑える機能をスペーサ３４は有する。
【００６４】
・スペーサ３４は、粘着剤を介して第２保護フィルム３１に位置決めされてもよく、また、粘着剤を介して第１保護フィルム２１、および、第２保護フィルム３１の両方に位置決めされてもよい。また、光学部品包装体が複数のスペーサ３４を備えるとき、第１保護フィルム２１に位置決めされるスペーサ３４と、第２保護フィルム３１に位置決めされるスペーサ３４とが、複数のスペーサ３４に含まれてもよい。
【００６５】
・スペーサ３４と光学部品１１とは、互いに接触していてもよいし、互いに離れていてもよい。また、光学部品包装体が複数のスペーサ３４を備えるとき、光学部品１１に接触するスペーサ３４と、光学部品１１から離れたスペーサ３４とが、複数のスペーサ３４に含まれてもよい。
【符号の説明】
【００６６】
１１…光学部品、１１Ｓ…光学機能面、１１Ｔ…部品厚さ、１１Ｗ…部品長さ、１２…光学構造、２１…第１保護フィルム、２１Ｔ…フィルム段差、２２…被覆部、２３…被接合端、３１…第２保護フィルム、３１Ｓ…貼付面、３１Ｗ…接合距離、３２…部品粘着層、３３…フィルム接着層、３４…スペーサ、３４Ａ，３４Ｂ…指標。
【図１】
0006384346.tif 000002
【図２】
0006384346.tif 000003
【図３】
0006384346.tif 000004
【図４】
0006384346.tif 000005